(57)【要約】【課題】レンズを光軸に沿って駆動することができる小型のレンズ駆動装置、および撮像装置を提供することを目的とする。【解決手段】光透過性を有する、少なくとも一部が磁石で構成されたレンズと、レンズの磁力と反発あるいは吸着することによって、レンズを移動させる駆動磁石と、レンズと物理的に接触して、レンズの移動を光軸に沿う方向に導く移動ガイドとを備えた。レンズ自体が磁石で構成されているため、新たに磁石を設ける必要がなく、レンズ駆動装置全体を小型化することができる。【選択図】        図３
2006251151.tif 000002
【特許請求の範囲】
【請求項１】
光透過性を有する、少なくとも一部が磁石で構成されたレンズと、
前記レンズの磁力と反発あるいは吸着することによって、該レンズを移動させる駆動磁石と、
前記レンズの移動を光軸に沿う方向に導く移動ガイドとを備えたことを特徴とするレンズ駆動装置。
【請求項２】
前記駆動磁石は、相互に所定の距離を空けて前記レンズの光軸に沿う方向に並べられた複数の磁石であることを特徴とする請求項１記載のレンズ駆動装置。
【請求項３】
相互に距離を空けて、各々の光軸を揃えて並べられた複数のレンズを備え、
前記駆動磁石は、前記複数のレンズの間に設けられたものであることを特徴とする請求項１記載のレンズ駆動装置。
【請求項４】
前記駆動磁石は、電流の印加を受けて磁場を発生する電磁石であり、
前記駆動磁石に印加する電流の方向を制御して、該駆動磁石の磁極の方向を調整する制御部を備えたことを特徴とする請求項１記載のレンズ駆動装置。
【請求項５】
光透過性を有する、少なくとも一部が磁石で構成されたレンズと、
前記レンズの磁力と反発あるいは吸着することによって、該レンズを移動させる駆動磁石と、
前記レンズの移動を光軸に沿う方向に導く移動ガイドと、
前記レンズを通ってきた被写体光が表面に結像されて、該被写体光を表わす画像信号を生成する撮像器とを備えたことを特徴とする撮像装置。
【発明の詳細な説明】
【技術分野】
【０００１】
本発明は、レンズを光軸に沿う方向に駆動するレンズ駆動装置、および被写体光を結像して画像信号を生成する撮像装置に関する。
【背景技術】
【０００２】
近年、携帯電話などといった小型機器に、被写体を撮影する撮像装置を内蔵することが広範に行われている。日ごろから常に携帯している小型機器に撮像装置が備えられることによって、デジタルカメラやビデオカメラを持ち運ぶ手間をかけずに、いつでも手軽に撮影を行うことができる。また、これらの小型機器には、無線や赤外線などを使ったデータ通信機能が予め搭載されていることが一般的であり、撮影した撮影画像をその場ですぐに他の携帯電話やパーソナルコンピュータなどに送ることができるなどという利点もある。
【０００３】
しかし、携帯電話などといった小型機器に内蔵される撮像装置は、通常のデジタルカメラと比較してかなり小型なために、レンズやＣＣＤ（Ｃｈａｒｇｅ  Ｃｏｕｐｌｅ  Ｄｅｖｉｃｅ）等の大きさや、それらを収納するスペースが大幅に制限される。このため、これらの小型機器は、デジタルカメラの代替機器として用いられるには撮影機能や撮影画像の画質等が不十分であり、メモ替わりに画像を得る場合や、携帯電話等の待ち受け画面用の画像を得る場合などのように、画質を要求されない撮影用に用途が限定されることが多い。
【０００４】
これらの点に関し、近年では、高画素の小型ＣＣＤや、これに対応した小型レンズなどが開発されてきており、小型機器を使って撮影される撮影画像の高画質化が急速に進んでいる。残る課題である撮影機能の充実においては、特に、これらの小型機器に、デジタルカメラには標準的に搭載されているオートフォーカス機能やズーム機能が搭載されることが望まれている。
【０００５】
オートフォーカス機能やズーム機能は、撮像装置内でレンズを光軸に沿う方向に移動させることによって実現される。通常のデジタルカメラやビデオカメラ等では、レンズをレンズ鏡筒内に配備し、モータの回転を利用してカム機構などを介してレンズ鏡筒を移動させることが多い。しかし、部品を収容するスペースが少ない小型の撮像装置には、レンズ鏡筒やカム機構などを取り付けることができないため、このレンズ移動方法を適用することができない。
【０００６】
この点に関し、特許文献１には、相互に距離を空けて並べられた２つの電磁石の間に、磁石が取り付けられたレンズを配置し、２つの電磁石の極性を調整することによって、レンズを電磁石に引き付ける方法が記載されている。この特許文献１に記載された技術は、レンズ鏡筒やカム機構などを備える必要がないため、上述したレンズ移動方法よりも部品数を減少させることができ、小型のデジタルカメラなどにも適用することができる。
【特許文献１】特開２００４−２１２４５２号公報
【発明の開示】
【発明が解決しようとする課題】
【０００７】
しかし、特許文献１に記載された技術では、レンズを通過する光を妨げないように、レンズを取り囲むように磁石を取り付ける必要があるため、無駄に磁石やレンズが大きくなってしまう。このため、デジタルカメラよりも大幅に小型である携帯電話用の撮像装置などには適用することが困難であるという問題がある。
【０００８】
本発明は、上記事情に鑑み、レンズを光軸に沿って駆動することができる小型のレンズ駆動装置、および撮像装置を提供することを目的とする。
【課題を解決するための手段】
【０００９】
上記目的を達成する本発明のレンズ駆動装置は、光透過性を有する、少なくとも一部が磁石で構成されたレンズと、
レンズの磁力と反発あるいは吸着することによって、レンズを移動させる駆動磁石と、
レンズの移動を光軸に沿う方向に導く移動ガイドとを備えたことを特徴とする。
【００１０】
近年、光透過性を有する磁性体を作成できることが報告されている（特開２００２−１４５６２２公報参照）。本発明は、このような光透過性の磁性体を利用するものである。
【００１１】
本発明のレンズ駆動装置によると、レンズの少なくとも一部が磁石で構成されており、そのレンズと駆動磁石とが反発あるいは吸着することによって、レンズが移動ガイドに導かれて光軸に沿う方向に移動される。レンズを移動させるカム機構や、レンズを取り囲む磁石などを新たに設ける必要がないため、レンズ駆動装置全体を小型化することができ、携帯電話などといった小型の撮像装置にも搭載することができる。
【００１２】
また、本発明のレンズ駆動装置において、上記駆動磁石は、相互に所定の距離を空けてレンズの光軸に沿う方向に並べられた複数の磁石であることが好適である。
【００１３】
本発明における好適な形態のレンズ駆動装置によると、複数の駆動磁石それぞれと反発あるいは吸着することによって、それら複数の駆動磁石の間でレンズが移動されるため、簡易な構造でレンズを光軸に沿う方向に移動させることができる。
【００１４】
また、本発明のレンズ駆動装置において、相互に距離を空けて、各々の光軸を揃えて並べられた複数のレンズを備え、
駆動磁石は、複数のレンズの間に設けられたものであることが好ましい。
【００１５】
複数のレンズの間に駆動磁石を配備することによって、複数のレンズを同時に移動させることができる。
【００１６】
また、本発明のレンズ駆動装置において、上記駆動磁石は、電流の印加を受けて磁場を発生する電磁石であり、
駆動磁石に印加する電流の方向を制御して、駆動磁石の磁極の方向を調整する制御部を備えたことが好ましい。
【００１７】
駆動磁石の磁極の方向が調整されることによって、レンズの磁力と駆動磁石との間にかかる力の向きが変化されるため、レンズを前後双方向に移動させることができる。
【００１８】
また、上記目的を達成する本発明の撮像装置は、光透過性を有する、少なくとも一部が磁石で構成されたレンズと、
前記レンズの磁力と反発あるいは吸着することによって、該レンズを移動させる駆動磁石と、
レンズの移動を光軸に沿う方向に導く移動ガイドと、
レンズを通ってきた被写体光が表面に結像されて、被写体光を表わす画像信号を生成する撮像器とを備えたことを特徴とする。
【００１９】
本発明にいう撮像器とは、典型的には、光を受光して受光信号を生成する受光素子が複数配備されたＣＣＤや、ＣＭＯＳセンサなどを指す。
【００２０】
本発明の撮像装置によると、小型機器などに設けられる場合であっても、レンズを精度よく駆動することができ、その小型機器にオートフォーカス機能やズーム機能などを搭載することができる。
【００２１】
尚、本発明にいう撮像装置については、ここではその基本形態のみを示すのにとどめるが、これは単に重複を避けるためであり、本発明にいう撮像装置には、上記の基本形態のみではなく、前述したレンズ駆動装置の各形態に対応する各種の形態が含まれる。
【発明の効果】
【００２２】
本発明によれば、レンズを光軸に沿って駆動することができる小型のレンズ駆動装置、および撮像装置を提供することができる。
【発明を実施するための最良の形態】
【００２３】
以下図面を参照して本発明の実施の形態を説明する。
【００２４】
図１は、本発明の一実施形態が適用された携帯電話の外観斜視図である。この携帯電話１００には、オートフォーカス機能が搭載された撮像装置が内蔵されている。
【００２５】
図１のパート（Ａ）には、携帯電話１００の前面図が示されている。携帯電話１００の前面には、メニュー画面や、撮影画像などが表示される液晶パネル１０１、内部にスピーカ（図２参照）が配備され、スピーカから発せられる音声を放つための送話口１０２、電話局を介して音声やメールなどのデータを送受信するための第１アンテナ１０３ａ、各種機能の選択や、撮影を行う際のシャッタボタンとして使用される選択ボタン１０４、電話番号を入力するためのプッシュボタン１０５、内部にマイクロフォン（図２参照）が配備され、声をマイクロフォンに伝えるための受話口１０６、ユーザが入力した電話番号などを確定する確定ボタン１０７、電源ボタン１０８、および電話局を介さずに、近距離用の無線通信によって画像やアドレス情報などを送受信するための第２アンテナ１０９ａが備えられている。
【００２６】
図１のパート（Ｂ）には、携帯電話１００の背面図が示されている。携帯電話１００の背面には、撮影レンズ１１０が設けられている。
【００２７】
図２は、携帯電話１００の内部ブロック図である。
【００２８】
携帯電話１００の内部には、撮影レンズ１１０、レンズコントローラ１１０ａ、アイリス１１１、アイリスモータ１１１ａ、ＣＣＤ１１２、Ａ／Ｄ（Ａｎａｌｏｇ／Ｄｅｇｉｔａｌ）変換部１１３、マイクロフォン１０６、スピーカ１０２、インタフェース部１２０、第１送受信部１０３、入力コントローラ１３０、画像信号処理部１４０、ビデオエンコーダ１５０、画像表示装置１６０、第２送受信部１０９、メモリ１７０、ＣＰＵ１８０、メディアコントローラ１９０、および各種スイッチ１８１が具備されており、さらに、記録メディア３００が接続されている。
【００２９】
各種スイッチ１８１には、図１に示す選択ボタン１０４やプッシュボタン１０５などが含まれる。これら各種スイッチ１８１が押下されると、そのスイッチが入ったことがＣＰＵ１８０に伝えられる。
【００３０】
また、本来、被写体を撮影する撮影装置には複数のレンズが配備されるが、この図２では、それら複数のレンズを撮影レンズ１１０として模式的に示している。撮影レンズ１１０は、透明な磁石で構成されている。この撮影レンズ１１０は、本発明にいうレンズの一例に相当する。透明な磁石の製造方法については、後で詳しく説明する。撮影レンズ１１０にはレンズコントローラ１１０ａが取り付けられており、レンズコントローラ１１０ａによって撮影レンズ１１０が光軸方向に移動される。レンズコントローラ１１０ａについては、後で詳しく説明する。
【００３１】
アイリス１１１は、絞り径を変化させることによって、ＣＣＤ１１２で受光される被写体光の光量を調整する絞りである。ＣＰＵ１８０からの指示に従ってアイリスモータ１１１ａが駆動されると、アイリス１１１の絞り径が絞り値に応じた大きさに設定される。
【００３２】
ＣＣＤ１１２は、撮影レンズ１１０を通ってきた被写体光を受光して、被写体光に基づく被写体像を、アナログ信号である被写体信号として読み取る。この携帯電話１００では、シャッタボタン（選択ボタン１０４）が押されて被写体が撮影される本撮影の前にも、撮影レンズ１１０の合焦位置を検出する合焦検出処理や、スルー画像表示のために、解像度が低い一時的な画像データ（以下では、この解像度が低い一時的な画像データを低解像度データと称する）が生成される。ＣＣＤ１１２で生成された被写体信号は、シャッタボタン（選択ボタン１０４）が押されたときは、そのままＡ／Ｄ変換部１１３に出力され、撮影の前には、低解像度データ用に間引かれてＡ／Ｄ変換部１１３に出力される。
【００３３】
Ａ／Ｄ変換部１１５は、被写体信号をデジタルデータである画像データに変換する。前述したように、ＣＣＤ１１２では所定のタイミングごとに間引かれた被写体信号が生成されるため、Ａ／Ｄ変換部１１５でも所定のタイミングごとに低解像度データが生成され続ける。低解像度データは、入力コントローラ１３０を介してＣＰＵ１８０や画像信号処理部１４０に送られる。また、撮影時に生成される画像データ（以下では、撮影時に生成される画像データを撮影画像データと称する）は、入力コントローラ１３０を介して画像信号処理部１４０に送られる。
【００３４】
画像信号処理部１４０では、送られてきた画像データにＲＧＢレベルの調節、ガンマ調整等といった画像処理が施される。また、送られてきた画像データが撮影画像データの場合には、画像処理後の撮影画像データに、さらに、圧縮処理が施される。画像信号処理部１４０での画像処理を経た画像データは、一旦メモリ１７０に送られる。
【００３５】
メモリ１７０には、この携帯電話１００内で実行されるプログラムが記憶されたり、中間バッファとして用いられる記録速度が高速なＳＤＲＡＭ、各種メニュー画面用のデータや、ユーザの設定内容などが記憶されたデータ保存用のメモリであるＳＲＡＭ、圧縮された画像データが記憶されるＶＲＡＭが含まれている。ＶＲＡＭは、複数領域に分割されており、画像データが複数領域に順番に記憶され、記憶された画像データはビデオエンコーダ１５０やメディアコントローラ１９０に順次に読み出される。
【００３６】
ＣＰＵ１８０は、図２に示す携帯電話１００の各種要素を制御する。また、ＣＰＵ１８０は、入力コントローラ１３０を介して送られてきた低解像度データに基づいて、シャッタスピードや絞り値を決定する。また、ＣＰＵ１８０は、撮影レンズ１１０を光軸方向に移動させながら取得した低解像度データに基づいて被写体のコントラストを検出し、そのコントラストが最大になるときの撮影レンズ１１０の位置（合焦位置）を決定する。
【００３７】
ビデオエンコーダ１５０は、ＣＰＵ１８０からの指示に従って、メモリ１７０から圧縮後の画像データを取得し、圧縮後の画像データを、液晶パネル１０１で表示できるデータ形式に変換する。変換後の画像データは画像表示装置１３０に送られ、画像表示装置１３０によって、画像データが表す画像が液晶パネル１０１に表示される。メディアコントローラ１９０は、メモリ１７０に記憶された圧縮後の画像データを記録メディア３００へ記録したり、記録メディア３００に記録された画像データを読み出すためのものである。
【００３８】
また、図１に示すプッシュボタン１０５を使って電話番号が入力され、確定ボタン１０７が押下されると、電話番号が設定されて相手装置との通信が開始される。このとき、携帯電話１００の電話番号や入力された電話番号などの通信情報がＣＰＵ１８０から第１送受信部１０３に伝えられ、通信情報が電波に変換されてアンテナ１０３ａに伝えられ、アンテナ１０３ａから電波が発せられる。第１アンテナ１０３ａから発せられた電波は、建物や電柱などといった各所に設けられている共同アンテナ（図示しない）を介して電話局に伝わり、電話局で、指定された電話番号が割り当てられた相手装置との接続が確立される。
【００３９】
相手装置との接続が確立すると、ユーザが携帯電話１００に向けて発した声がマイクロフォン１０６で集音され、集音された声がインタフェース部１２０で音声データを表わす電波に変換されて、第１送受信部１０３の第１アンテナ１０３ａによって相手装置に送信される。また、第１アンテナ１０３ａを介して受信された音声用の電波は、インタフェース部１２０で音声データに変換され、スピーカ１０２から音声として発せられる。第１送受信部１０３、第１アンテナ１０３ａでは、音声データだけではなく、電話番号の代わりにメールアドレスを使ってメールを表わすメールデータも送受信される。第１アンテナ１０３ａで受信されて、第１送受信部１０３でデジタル化されたメールデータは、入力コントローラ１３０によってメモリ１７０に記憶される。
【００４０】
また、この携帯電話１００には、電話局を介して他の携帯電話などといった相手装置と通信するための通信インタフェース（第１送受信部１０３、第１アンテナ１０３ａ）とは別に、電話局を介さずに、近距離用の無線通信によって通信するための無線通信インタフェース（第２送受信部１０９、第２アンテナ１０９ａ）も備えられている。近距離無線通信用の通信インタフェースとしては、赤外線通信やブルートゥース（Ｂｌｕｅｔｏｏｔｈ）などを適用することができる。本実施形態では、通信インタフェースとして赤外線通信が適用されており、他の携帯電話などから直接送信されてきた赤外線が第２アンテナ１０９ａで受信されると、その受信された赤外線に基づく電気信号が第２送受信部１０９でピックアップされて、デジタルのデータに変換される。逆に、外部装置にデータを送信するときには、第２送受信部１０９にデータが伝えられ、そのデータが第２送受信部１０９で電波に変換されて、第２アンテナ１０９ａから発せられる。
【００４１】
この第２アンテナ１０９ａで画像を表わす赤外線が受信されると、第２送受信部１０９では赤外線に基づく電気信号が画像データに変換される。変換された画像データは、撮影画像データと同様にして、画像表示装置１６０に送られて画像データが表わす画像が液晶パネル１０１に表示されたり、メディアコントローラ１９０を介して記録メディア３００に記録される。
【００４２】
携帯電話１００は、基本的には以上のように構成されている。
【００４３】
ここで、以下では、撮影レンズコントローラ１１０ａと、撮影レンズコントローラ１１０ａによる撮影レンズ１１０の駆動について説明する。
【００４４】
図３、図４、および図５は、撮影レンズ１１０と撮影レンズコントローラ１１０ａの概略構成図である。
【００４５】
図３に示すように、撮影レンズコントローラ１１０ａは、携帯電話１００の光軸方向に延びる３本のレール２１０と、それらレール２１０の両端に設けられた電磁石２２１，２２２と、電磁石２２１，２２２に印加される電流の大きさや方向を制御する電流制御部２３１とで構成されている。このレール２１０は、本発明にいう移動ガイドの一例にあたり、電磁石２２１，２２２は、本発明にいう駆動磁石の一例にあたるとともに、本発明にいう電磁石の一例に相当する。また、電流制御部２３１は、本発明にいう制御部の一例に相当する。
【００４６】
図４のパート（Ａ）には、撮影レンズ１１０、レール２１０、および電磁石２２１，２２２を正面から見た図が示されており、図４のパート（Ｂ）には、それらを背面から見た図が示されている。
【００４７】
電磁石２２１，２２２は、内部にコイルが巻回されており、このコイルに電流が印加されることによって磁場が発生する。また、撮影レンズ１１０は、Ｎ極が正面側、Ｓ極が背面側を向くようにレール２１０に嵌め込まれており、３つのレール２１０は、撮影レンズ１１０を３箇所で支えている。
【００４８】
図３の状態では、電磁石２２１，２２２に電流が印加されておらず、電磁石２２１，２２２が磁力を有していないため、撮影レンズ１１０は電磁石２２１，２２２と力を及ぼし合わず、レール２１０の中央付近にとどまっている。
【００４９】
電流制御部２３１によって、電磁石２２１，２２２に相互に逆方向の電流が印加されると、図５のパート（Ａ）に示すように、電磁石２２１，２２２それぞれで撮影レンズ１１０に対向する側がＳ極に相当する磁界が形成される。このとき、前側（図５の左側）の電磁石２２１のＳ極と、撮影レンズ１１０の前面のＮ極とが引き付け合うとともに、後側（図５の右側）の電磁石のＳ極と、撮影レンズ１１０の後面のＳ極とが反発し合うことによって、撮影レンズ１１０が前方向に移動する。
【００５０】
また、電磁石２２１，２２２に、図５のパート（Ａ）とは逆方向に電流を印加すると、図５のパート（Ｂ）に示すように、電磁石２２１，２２２それぞれで撮影レンズ１１０に対向する側がＮ極に相当する磁界が形成される。その結果、前側の電磁石２２１と撮影レンズ１１０とが反発し合うとともに、後側の電磁石と撮影レンズ１１０とが引き付け合うことによって、撮影レンズ１１０が後方向に移動する。
【００５１】
また、前側の電磁石２２１には、撮影レンズ１１０と対向する側がＮ極に相当する磁界を発生させる向きに電流を印加し、後側の電磁石２２２には、撮影レンズ１１０と対向する側がＳ極に相当する磁界を発生させる向きに、前側の電磁石２２１と同じ大きさの電流を印加することによって、電磁石２２１，２２２と撮影レンズ１１０とがそれぞれに反発し合い、撮影レンズ１１０がレール２１０の中央付近（図３参照）に移動する。
【００５２】
このように、本実施形態の携帯電話１００によると、簡易で小型な機構で撮影レンズ１１０を光軸方向に移動させることができ、オートフォーカス機能などを実現することができる。
【００５３】
以上で、本発明の第１実施形態の説明を終了し、本発明の第２実施形態について説明する。第１実施形態と第２実施形態とではほぼ同じ構成を有するため、以下では、第１実施形態との共通要素については同じ符号を付して説明を省略し、第１実施形態との相違点のみ説明する。
【００５４】
本実施形態の携帯電話では、図１に示す選択ボタン１０４などを使って、望遠撮影を行なうテレモードと、広角撮影を行うワイドモードとのいずれかを選択することができる。
【００５５】
図６、および図７は、本実施形態における撮影レンズと撮影レンズコントローラの概略構成図である。
【００５６】
図６および図７には、複数のレンズで構成される撮影レンズ４００のうちの、２枚のレンズ４１０，４２０が代表して示されている。本実施形態の撮影レンズコントローラ１１０ａ´では、レール２１０´の中央に電磁石２２３が設けられている。レール２１０´の、電磁石２２３で区切られた前側（図５の左側）のレール部分２１２、および後側のレール部分２１２それぞれには、レンズ４１０，４２０それぞれが、Ｎ極が前側を向くように並べて嵌め込まれている。
【００５７】
撮影者によってワイドモードが選択されたときには、図２に示す各種スイッチ１８１からＣＰＵ１８０にワイドモードが選択されたことが伝えられ、ＣＰＵ１８０から電流制御部２３１にワイドモードに設定する指示が与えられる。電流制御部２３１は、電磁石２２３に前側がＮ極、後側がＳ極に相当する磁界を発生させる向きの電流を印加する。その結果、図６のパート（Ａ）に示すように、電磁石２２３のＮ極と前側のレンズ４２０のＳ極とが引き付け合うとともに、電磁石２２３のＳ極と後側のレンズ４１０のＮ極とが引き付けあって、２つのレンズ４１０，４２０がレール２１０´の中央付近に移動する。２つのレンズ４１０，４２０相互間の距離が近づくことによって、撮影レンズ４００の焦点距離が短くなり、広角撮影が実現される。
【００５８】
また、撮影者によってテレモードが選択されたときには、ＣＰＵ１８０からの指示に従って、電流制御部２３１から電磁石２２３に、ワイドモード時とは逆向きの電流（前側がＳ極、後側がＮ極に相当する磁界を発生させる向きの電流）が印加される。このとき、電磁石２２３では、ワイドモード時とは逆向きの磁界が発生し、電磁石２２３と２つのレンズ４１０，４２０が反発しあって、レンズ４１０，４２０は電磁石２２３から離れるようにレール２１０´の両端それぞれに移動する。２つのレンズ４１０，４２０の間の距離が遠ざかることによって、撮影レンズ４００の焦点距離が長くなり、望遠撮影が実現される。
【００５９】
このように、本実施形態の携帯電話によると、１つの電磁石２２３で複数のレンズを逆方向に移動させることができ、望遠撮影や広角撮影を簡易な機構で実現することができる。
【００６０】
以上で、本発明の第２実施形態の説明を終了する。
【００６１】
続いて、上述した第１実施形態、および第２実施形態で用いられる、少なくとも一部が磁石で構成されたレンズの代表的な２つの製造方法について説明する。
【００６２】
図８は、第１の製造方法を説明する図である。この第１の製造方法では、光透過面上に磁性膜が形成されたレンズが作成される。
【００６３】
まず、透明物質（例えば、ガラスやプラスチックなど）をレンズ形状に成型して基体４１１を形成する（図８のステップＳ１１）。
【００６４】
続いて、基体４１１上に形成される磁性膜の元となるターゲットを作成する（図８のステップＳ１２）。この例では、ルチル結晶構造の二酸化チタンにコバルトを１０ｍｏｌ％ドープして１０００度で焼結することにより、二酸化チタン・コバルトで構成されたターゲット４２１を作成した。この二酸化チタン・コバルトは、透明な磁性体である。
【００６５】
ターゲット４２１が作成されると、そのターゲット４２１を構成する磁性体（二酸化チタン・コバルト）を、レーザアブレーションによって、ステップＳ１１で形成された基体４１１上に積層させる（図８のステップＳ１３）。このステップＳ１３では、まず、基体４１１上の、磁性膜を形成しない部分をマスクする。続いて、基体４１１を加熱するとともに、ターゲット４２１にレーザ光を照射して表面を瞬間的に気化させることで二酸化チタン・コバルトの微小粒子４２２を発生させ、その二酸化チタン・コバルトの微小粒子４２２を基体４１１上に積層させる。この基体４１１を加熱する加熱装置としては、Ｎｄ：ＹＡＧレーザを使用した基板加熱装置などを使用することができ、ターゲット４２１にレーザを照射する照射装置としては、２４８ｎｍのレーザ光を出射するＫｒＦエキシマレーザなどを使用することができる。
【００６６】
尚、二酸化チタン・コバルトのターゲットと、ルチル結晶構造の二酸化チタンのみからなるターゲットとの２つのターゲットを使用し、これらのターゲットを所定数比率のレーザ光を交互に照射して磁性膜を形成しても良い。
【００６７】
ここで、ステップＳ１３において、上述した処理に加えて以下に示すような処理を実行して、基体４１１上に形成される磁性膜４２３を磁化する。
【００６８】
磁性膜４２３が磁化されていない状態とは、磁性膜４２３を構成している各微小粒子４２２のＮ極とＳ極が揃っていない状態である。磁性膜４２３を磁化するには、微小粒子４２２を積層する際に、基体４１１の裏面に大きな磁極を印加しておく。例えば、基体４１１に磁石６００のＮ極を近づけておくと、微小粒子４２２のＳ極が磁石６００のＮ極に引き付けられ、微小粒子４２２が、Ｓ極側が基体４１１と接触するように磁極を揃えて積層される。その結果、Ｎ極側が表面に露出した磁性膜４２３が形成され、表面がＮ極の透明磁石が作成される。
【００６９】
また、磁性体の磁化方法については、この他にも様々に知られており、それらの方法を適用することもできる。
【００７０】
基体４１１上に二酸化チタン・コバルトが積層されたら、マスクを除去する（図８のステップＳ１４）。このようにして、透明な基体４１１上に透明な二酸化チタン・コバルトの磁性膜４２３が形成された光学素子４００を生成する。このようにして得られた二酸化チタン・コバルト磁性膜４２３の膜厚は、２００ｎｍであった。
【００７１】
以上のような手順によって、基板上に磁化された磁性膜が設けられた、図３に示す撮影レンズ１１０、および図５に示す撮影レンズ４００を作成することができる。
【００７２】
ここで、図７に示す例では、レンズの光軸付近の光透過性を向上させるためや、基体４１１の周辺部分のみにリング状に磁性膜４２３を形成する例について説明したが、本発明においては、基体４１１上の面全体に磁性膜を形成してもよい。
【００７３】
続いて、第２の製造方法について説明する。
【００７４】
図９は、第２の製造方法を説明する図である。この第２の製造方法によると、磁性粒が混合されたレンズが製造される。
【００７５】
まず、チタンテトラアルコキサイドにコバルトを加えた磁性材料５１１を真空下で加熱する（図９のステップＳ１）。その結果、磁性材料５１１が脱アルコール処理されて、二酸化チタンとコバルトがドープされた磁性粒５１２が形成される（図９のステップＳ２２）。さらに、磁性粒５１２に安定化剤（チタンカップリング剤：イソプロピルトリイソステアロイルチタネートなど）を添加して、磁性粒５１２を安定して分散させる。例えば、ルチル結晶構造の二酸化チタンにコバルトが１０ｍｏｌ％ドープされた磁性粒を生成したところ、平均粒径が１０ｎｍの磁性粒５１２が得られた。
【００７６】
続いて、透明な流動媒体５２０に、磁性粒５１２を混合する（図９のステップＳ２３）。本実施形態では、流動媒体５２０としてポリメチルメタクリレートが用いられ、この流動媒体５２０中に二酸化チタン・コバルトの磁性粒５１２が１０ｍｏｌ％程度混合される
さらに、磁性粒５１２が混合された流動媒体５２０をレンズ形状に射出成型して固化する（図９のステップＳ２４）。その結果、磁性粒５１２が混合された光学素子５００が生成される。
【００７７】
尚、図９のステップＳ２４の固化過程で、上述したステップＳ１３と同様にして流動媒体５２０に磁石６００の磁極を印加すると、磁性粒５１２の磁極が揃った状態で固化されて、光学素子５００が磁化される（図６のステップＳ２５）。
【００７８】
以上のようにして、透明磁石である光学素子５００が作成される。
【００７９】
以上のような手順によって、透明媒体内に磁化された磁性粒が混合された、図３に示す撮影レンズ１１０、および図５に示す撮影レンズ４００を作成することができる。
【００８０】
ここで、上記では、本発明にいう撮像装置の一例として携帯電話が示されているが、本発明にいう撮像装置はデジタルカメラなどであってもよい。
【００８１】
また、上記では、本発明にいう撮像部の一例としてＣＣＤが示されているが、本発明にいう撮像部はＣＭＯＳセンサなどであってもよい。
【００８２】
また、上記では、本発明にいう駆動磁石として、相互に離れた位置に配置された２つの電磁石を設け、それら２つの電磁石でレンズを３段階に移動させる例について説明したが、本発明にいう駆動磁石は、相互に離れた位置に３つ以上の電磁石が配置され、それら３つ以上の電磁石でレンズを多段階に移動させるものであってもよい。
【００８３】
また、上記では、レンズを直接レールに嵌め込む例について説明したが、本発明にいう移動ガイドは、レンズに設けられたレンズ枠を介してレンズの移動を導くものであってもよい。
【図面の簡単な説明】
【００８４】
【図１】本発明の一実施形態が適用された携帯電話の外観斜視図である。
【図２】携帯電話１００の内部ブロック図である。
【図３】撮影レンズ１１０と撮影レンズコントローラ１１０ａの概略構成図である。
【図４】撮影レンズ１１０と撮影レンズコントローラ１１０ａの概略構成図である。
【図５】撮影レンズ１１０と撮影レンズコントローラ１１０ａの概略構成図である。
【図６】第２実施形態における撮影レンズと撮影レンズコントローラの概略構成図である。
【図７】第２実施形態における撮影レンズと撮影レンズコントローラの概略構成図である。
【図８】第１の製造方法を説明する図である。
【図９】第２の製造方法を説明する図である。
【符号の説明】
【００８５】
１００    携帯電話
１００ａ    筐体
１０１    液晶パネル
１０２    送話口
１０３    第１送受信部
１０３ａ    第１アンテナ
１０４    選択ボタン
１０５    プッシュボタン
１０６    受話口
１０７    確定ボタン
１０８    電源ボタン
１０９    第２送受信部
１０９ａ    第２アンテナ
１１０    撮影レンズ
１１０ａ    磁石
１１１    アイリス
１１２    ＣＣＤ
１１３    Ａ／Ｄ変換部
１２０    インタフェース部
１２１    マイクロフォン
１２２    スピーカ
１３０    入力コントローラ
１４０    画像信号処理部
１５０    ビデオエンコーダ
１６０    画像表示装置
１７０    メモリ
１８０    ＣＰＵ
１８１    各種スイッチ
１９０    メディアコントローラ
２００    交換レンズ
２０１    レンズ部分
２０２    磁性膜
３００    記録メディア
【図１】
2006251151.tif 000003
【図２】
2006251151.tif 000004
【図３】
2006251151.tif 000005
【図４】
2006251151.tif 000006
【図５】
2006251151.tif 000007
【図６】
2006251151.tif 000008
【図７】
2006251151.tif 000009
【図８】
2006251151.tif 000010
【図９】
2006251151.tif 000011